(57)【要約】【課題】  多数の画像データの中から画像を次々と切り替えて所望の画像を探し出す場合に、良好な操作性を有すると共に、短時間で所望の画像にたどり着くことのできる電子機器を得る。【解決手段】  １コマの画像を複数の異なる解像度の画像データで記録する記録手段と、画像を再生表示する画像表示手段と、再生表示を行う際の指示を入力するスイッチ入力手段とを有し、スイッチ入力手段の操作状態に応じて、異なる解像度の画像データのいずれかに基づいて画像表示手段に選択的に表示する電子機器とする。【選択図】        図５
2006246131.tif 000002
【特許請求の範囲】
【請求項１】
１コマの画像を複数の異なる解像度の画像データで記録する記録手段と、該記録手段に記録されている画像を表示する画像表示手段と、前記記録手段から前記画像データを読み出して前記画像表示手段で再生表示を行う際の指示を入力するスイッチ入力手段と、を有する電子機器において、
前記スイッチ入力手段の操作状態に応じて、前記異なる解像度の画像データのいずれかに基づいた画像を前記画像表示手段に選択的に表示することを特徴とする電子機器。
【請求項２】
１コマの画像を複数の異なる解像度の画像データで記録する記録手段と、該記録手段に記録されている画像を表示する画像表示手段と、前記記録手段から前記画像データを読み出して前記画像表示手段で再生表示を行う際の指示を入力するスイッチ入力手段と、を有する電子機器において、
前記スイッチ入力手段がＯＦＦ状態からＯＮ状態に切り替えられたときは、表示中の画像に替えて、前記記録手段に記録されている次の画像の前記異なる解像度の画像のうち高い解像度の画像データに基づいた画像を前記画像表示手段に表示させ、
前記スイッチ入力手段のＯＮ状態が所定時間を越えて継続したときは、表示中の画像に替えて、前記記録手段に記録されている次の画像の前記異なる解像度の画像のうち低い解像度の画像データに基づいた画像を前記画像表示手段に表示させることを特徴とする電子機器。
【請求項３】
前記スイッチ入力手段のＯＮ状態を継続させたとき、所定時間経過する毎に、自動的に新たなコマの低い解像度データに基づいた画像が順次表示されることを特徴とする請求項１又は２に記載の電子機器。
【発明の詳細な説明】
【技術分野】
【０００１】
本発明は、記録媒体から、画像データを読み出して画像表示装置で再生表示を行うよう構成された電子機器に関するものである。
【背景技術】
【０００２】
従来より、撮影した画像を画像データとし、記録手段である記録媒体に記録する電子カメラや、大容量の記録媒体を備え、電子カメラで撮影した画像データを蓄積するストレージがある。これら、電子スチルカメラやストレージは、画像表示装置を備えたものが一般的であり、記録媒体から撮影した画像データを読み出し、この画像表示装置で再生することが可能とされている。
【０００３】
また、電子カメラで撮影した画像をプリントするプリンタにおいても、画像表示装置を備えたものがある。
【０００４】
このような、画像表示装置を備えた電子機器に関し、指定されたコマの表示に際し、解像度の低い方の画像をまず表示した後、そのコマの解像度の高い方の画像を表示するよう構成し、再生時の待ち時間を軽減するカメラが開示されている（例えば、特許文献１参照）。
【０００５】
また、解像度の低い方のコマの画像を表示した後、そのコマの解像度の高い方の画像を表示するよう構成すると共に、表示中の画像の表示処理の途中で、入力手段から他の画像に切り替える指示入力がされると、表示中の画像の表示処理を中断し、次の画像の表示処理に切り替える画像表示装置が開示されている（例えば、特許文献２参照）。
【特許文献１】特開平１０−７９９１３号公報
【特許文献２】特開２００４−３６１８１４号公報
【発明の開示】
【発明が解決しようとする課題】
【０００６】
しかしながら、上記特許文献１に記載のカメラは、１コマの画像表示に際して表示開始までの時間を短縮することができるものであるが、１画像表示のための時間が長くなり、画像を次々と切り替えて所望の画像を選択する場合に、所望の画像にたどり着くためには長時間を要してしまう問題がある。
【０００７】
また、上記特許文献２に記載の画像表示装置は、画像を次々と切り替えて所望の画像を選択する場合に、所望の画像を探し出せるまで、入力手段のＯＮ／ＯＦＦ操作を１コマずつ毎回繰り返さなくてはならず、多数の画像データの中から所望の画像を探し出す場合には操作性が悪くなる問題がある。
【０００８】
本発明は上記問題に鑑み、画像表示装置に画像を表示させて画像を確認しつつ、多数の画像データの中から画像を次々と切り替えて所望の画像を探し出す場合に、良好な操作性を有すると共に、短時間で所望の画像にたどり着くことのできる電子機器を得ることを目的とするものである。
【課題を解決するための手段】
【０００９】
上記の課題は、以下の構成により解決される。
【００１０】
１）  １コマの画像を複数の異なる解像度の画像データで記録する記録手段と、該記録手段に記録されている画像を表示する画像表示手段と、前記記録手段から前記画像データを読み出して前記画像表示手段で再生表示を行う際の指示を入力するスイッチ入力手段と、を有する電子機器において、前記スイッチ入力手段の操作状態に応じて、前記異なる解像度の画像データのいずれかに基づいた画像を前記画像表示手段に選択的に表示することを特徴とする電子機器。
【００１１】
２）  １コマの画像を複数の異なる解像度の画像データで記録する記録手段と、該記録手段に記録されている画像を表示する画像表示手段と、前記記録手段から前記画像データを読み出して前記画像表示手段で再生表示を行う際の指示を入力するスイッチ入力手段と、を有する電子機器において、前記スイッチ入力手段がＯＦＦ状態からＯＮ状態に切り替えられたときは、表示中の画像に替えて、前記記録手段に記録されている次の画像の前記異なる解像度の画像のうち高い解像度の画像データに基づいた画像を前記画像表示手段に表示させ、前記スイッチ入力手段のＯＮ状態が所定時間を越えて継続したときは、表示中の画像に替えて、前記記録手段に記録されている次の画像の前記異なる解像度の画像のうち低い解像度の画像データに基づいた画像を前記画像表示手段に表示させることを特徴とする電子機器。
【００１２】
３）  前記スイッチ入力手段のＯＮ状態を継続させたとき、所定時間経過する毎に、自動的に新たなコマの低い解像度データに基づいた画像が順次表示される１）又は２）の電子機器。
【発明の効果】
【００１３】
本発明によれば、画像表示装置に画像を表示させて画像を確認しつつ、多数の画像データの中から画像を次々と切り替えて所望の画像を探し出す場合に、良好な操作性を有し、短時間で所望の画像を探し出すことのできる電子機器を得ることが可能となる。
【発明を実施するための最良の形態】
【００１４】
以下、実施の形態により本発明を詳しく説明するが、本発明はこれに限定されるものではない。
【００１５】
図１は、本発明に係る電子機器の一例である電子カメラを示す外観図である。図１（ａ）はカメラを前面から見た図、図１（ｂ）はカメラ背面図である。
【００１６】
図１（ａ）において、８１は撮影レンズであり内部に屈曲光学系を備えたズーム光学系である。８２はメインスイッチ、８３はレリーズ釦、８４はフラッシュ発光部、８６はフラッシュ反射光受光用センサ窓である。
【００１７】
レリーズ釦８３はその１段の押し込みによりカメラの撮影準備動作、即ち焦点合わせ動作や測光動作が行われ、その２段の押し込みにより撮影露光動作が行われる。
【００１８】
図１（ｂ）において、９３はズーム釦であり、ズームアップ、ズームダウンをおこなう釦である。９５はメニュー釦、９６は選択釦で４方向スイッチであり、９７はセット釦である。１００は画像表示部であり、ＬＣＤ、有機ＥＬ等の画像表示装置で画像やその他文字情報等を表示する。
【００１９】
メニュー釦９５で、画像表示部１００上に各種のメニューを表示させ、選択釦９６の４方向スイッチにより選択し、セット釦９７で確定させる機能を有している。９８はメインダイヤルであり、回転させることで、静止画撮影モード、動画撮影モード、再生モード、セットアップモード等を選択できる。
【００２０】
９９はフラッシュモード選択釦であり、低輝度下では自動的にフラッシュ発光するオートモード、発光禁止モード等のモードが選択できる。
【００２１】
なお、図示しないが底面には、三脚穴、電池／カード蓋が配置され、電池／カード蓋の内部には、本カメラの電源を供給する電池と、撮影した画像を記録するカード用のスロットが備えられており、画像を記録するカード型の記録用メモリが挿脱可能になっている。また、側面には外部入出力端子、オーディオ・ビデオ出力端子等が配置されている。
【００２２】
図２は、本実施の形態に係る電子カメラの内部構成の一例を示す概略ブロック図である。なお、本発明は、撮像素子としてＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が適用可能であるが、本例においては、撮像素子としてＣＣＤ型イメージセンサを用いたもので説明する。
【００２３】
同図において、４０は各部を制御する制御部（以下、ＣＰＵとも称す）である。撮像レンズ８１は、レンズ部１、絞りシャッターユニット２、赤外光カットフィルタとオプチカルローパスフィルタを積層した光学フィルタ３、第１モータ４、第２モータ５及び絞りシャッタアクチュエータ６で構成されている。
【００２４】
レンズ部１は、より詳しくは複数のレンズを有するレンズ系として構成されており、これら複数のレンズの光軸上の位置を第１モータ４を駆動することにより移動させ、変倍がおこなわれるようになっている。また、これら複数のレンズの内、フォーカシングに用いられるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００２５】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の画像アナログ信号を信号処理部１４へ出力する。
【００２６】
信号処理部１４は、撮像回路１３から出力された画像アナログ信号に信号処理を施すものである。信号処理部１４においては、相関二重サンプリング（ＣＤＳ）、オートゲインコントロール（ＡＧＣ）により画像アナログ信号のノイズ低減とゲイン調整をおこないＡ／Ｄ変換部１５へ出力する。
【００２７】
Ａ／Ｄ変換部１５では、タイミング制御回路１１からのＡ／Ｄ変換用クロックに基づき、入力された画像アナログ信号をＡ／Ｄ変換し、デジタル信号（以下、画素データと称す）に変換する。次いで、画素データをバッファメモリ１６に格納した後、ＣＰＵ４０に画素データを送り、ＣＰＵ４０では画素データの黒レベル補正をおこなった後、ホワイトバランス（ＷＢ）の調整、γ補正、ＹｃｂＣｒ変換が行われる。
【００２８】
ＶＲＡＭ１７は、画像表示部１００で表示する画像のバッファメモリであり、少なくとも画像表示部１００の画素数と表示に必要なビット数の積算値以上の記憶容量を有している。画像表示部１００には、例えばＬＣＤ、有機ＥＬ等の表示装置が用いられる。なお、使用される表示装置に応じ、ＶＲＡＭ１７と画像表示部１００の間に、画素データをＤ／Ａ変換するＤ／Ａ変換部が設けられる。
【００２９】
これにより、撮影時のフレーミング時には、所定時間間隔で撮像された画素データがバッファメモリ１６に記憶されると共に、ＶＲＡＭ１７へ転送され、画像表示部１００に表示がおこなわれ、被写体像を確認することができ、ファインダとして使用できる（スルー画像表示又はプレビュー画像表示と称す）ようになっている。
【００３０】
また、挿脱可能な画像記録用メモリカード５０に記録された撮影済みの画像は、圧縮伸張回路４９へ転送され、ＣＰＵ４０で所定の信号処理後にＶＲＡＭ１７へ転送され、画像表示部１００に表示がおこなわれ、再生が可能となっている。
【００３１】
インターフェイス３２は、外部のパーソナルコンピュータ或いはプリンタ等と信号の授受をおこなうもので、外部入出力端子（例えばＵＳＢ端子）８８を介して、外部のパーソナルコンピュータ或いはプリンタ等と通信を行うものである。
【００３２】
フラッシュ制御回路２１は、フラッシュ発光部８４の発光を制御する回路である。フラッシュ制御回路２１は、ＣＰＵ４０により制御され、フラッシュ発光の有無、発光タイミング、発光用コンデンサへの充電等を制御すると共に、フラッシュ反射光受光用センサ２３に接続された受光回路２４から入力される発光停止信号に基づき発光を停止させるようになっている。
【００３３】
時計回路２５は、撮影された日時を管理するものであり、各部へ電源を供給する給電回路２７から電源供給を受けて作動するようにしてもよいが、図示しない別電源で作動させることが望ましい。
【００３４】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００３５】
操作スイッチ群（以下操作ＳＷ群とも称す）３０は、例えばメインスイッチ、メインダイアル、レリーズ釦、ズーム釦、フラッシュモード選択釦、メニュー釦、セット釦、選択釦等の各種操作釦によりＯＮ／ＯＦＦするスイッチ群である。この操作ＳＷ群３０のＯＮ／ＯＦＦの信号は、ＣＰＵ４０に送られ、ＣＰＵ４０はＯＮされた操作ＳＷに応じて各部の動作を制御することになる。
【００３６】
ＥＥＰＲＯＭ３１は、不揮発性のメモリであり、カメラの個々に異なる特性値を記憶させておくために用いられる。この個々に異なる特性値とは、例えば撮像レンズ８１の各焦点距離におけるフォーカシングレンズの無限位置の情報等であり、製造工程内で書き込まれるものである。この、カメラ個々に異なる特性値を、ＣＰＵ４０は必要に応じＥＥＰＲＯＭ３１から読み出し、各部の制御に利用するようになっている。
【００３７】
なお、ＣＰＵ４０は、ＲＯＭ２０に格納されたソフトウェアに基づき、データの授受、各部のタイミング制御をおこなうのみならず、その他種々の機能をおこなうものとなっている。例えば、バッファメモリ１６から得られた画素データに基づき、被写体輝度を取得し、撮像素子の露光感度の設定、撮影時の絞り値とシャッタ速度の露光条件の決定（ＡＥ準備動作）、フォーカシングレンズを小刻みに移動させ、それぞれで得られた画素データから画像データを生成し、この画像データに基づいて評価をおこない最適なフォーカシングレンズ位置の決定（ＡＦ動作）制御、等を有するものである。
【００３８】
以上が、本実施の形態に係る電子カメラの内部ブロック構成である。
【００３９】
本実施の形態においては、メモリーカード５０が記録手段、画像表示部１００が画像表示手段、選択釦９６が再生表示を行う指示を入力するスイッチ入力手段、制御部（ＣＰＵ）４０が表示処理手段にそれぞれ相当するものである。
【００４０】
図３は、メモリーカード５０のメモリマップである。メモリーカード５０には上記の電子カメラを用いて記録されたデータが記録されている。
【００４１】
同図に示す記録領域Ｅの複数の単位画像情報Ｄ1、Ｄ2、Ｄ3…は、カメラで撮影された画像を一コマずつ含む画像ファイルであり、画像再生情報Ｘと画像データとを有している。画像再生情報Ｘは撮影時に書き込まれる例えば色合い、明るさ、鮮鋭度、コントラスト等の設定情報である。
【００４２】
単位画像情報Ｄ1、Ｄ2、Ｄ3…は、それぞれに画像再生情報Ｘとサムネイル画像データ５５と本画像データ５６とを有している。サムネイル画像データ５５は低解像度画像データであり、本画像データ５６は高解像度データである。
【００４３】
図４は、本実施の形態に係る電子カメラで使用される各モードへの移行動作を示すフローチャートである。以下、同図に示すフローに従い説明する。
【００４４】
同図に示すように、メインスイッチがＯＮされる（ステップＳ１０１）と、メインダイヤルがどこにセットされているかを確認する。
【００４５】
まず、メインダイヤルが静止画撮影モードにセットされているかどうか判断する（ステップＳ１０２）。静止画撮影モードにセットされている場合（ステップＳ１０２；Ｙｅｓ）は、静止画撮影モードへ移行し（ステップＳ１１２）、このモードの所定の動作を行う。静止画撮影モードにセットされていない場合（ステップＳ１０２；Ｎｏ）は、ステップＳ１０３へ移行する。
【００４６】
次いで、動画撮影モードにセットされているかどうか判断する（ステップＳ１０３）。動画撮影モードにセットされている場合（ステップＳ１０３；Ｙｅｓ）は、動画撮影モードへ移行し（ステップＳ１１３）、このモードの所定の動作を行う。動画撮影モードにセットされていない場合（ステップＳ１０３；Ｎｏ）は、ステップＳ１０４へ移行する。
【００４７】
次いで、再生モードにセットされているかどうか判断する（ステップＳ１０４）。再生モードにセットされている場合（ステップＳ１０４；Ｙｅｓ）は、再生モードへ移行し（ステップＳ１１４）、このモードの所定の動作を行う。再生モードにセットされていない場合（ステップＳ１０４；Ｎｏ）は、セットアップモードに移行し（ステップＳ１０５）このモードの所定の動作を行うようになっている。
【００４８】
なお、本例では、メインダイヤルで静止画撮影モード、動画撮影モード、再生モード、セットアップモードの４種を設定する例で説明したが、モードの種類及び判断順序は、これに限るものでない。また、メインダイヤルでの設定でなく選択メニューを画像表示部に表示させ、これから選択するようなカメラであってもよい。
【００４９】
なお、本発明は、再生モードに係るものであり、以下で、より詳しく説明する。
【００５０】
図５は、本実施の形態に係る電子カメラの再生モード時の動作概略を示すフローチャートである。以下、同図に示すフローに従い説明する。
【００５１】
同図に示すように、再生モードへ移行すると、まず画像表示部に、最後に撮影されたコマの本画像データを用いた画像を表示する（ステップＳ２０１）。なお、このステップＳ２０１ではサムネイル画像を表示してもよい。
【００５２】
次いで、選択釦の４方向スイッチのうち右の選択釦がＯＮ操作されたかどうか判断する（ステップＳ２０２）。右の選択釦がＯＮされた場合（ステップＳ２０２；Ｙｅｓ）は、ステップＳ２１１へ移行し、右の選択釦がＯＮされていない場合（ステップＳ２０２；Ｎｏ）は、ステップＳ２０３へ移行する。
【００５３】
ステップＳ２０２で右の選択釦がＯＮ操作された場合（ステップＳ２０２；Ｙｅｓ）は、画像の表示を、現在表示しているコマの１コマ後に撮影されたコマの画像データの本画像データを用いた画像を表示する（ステップＳ２１１）。なお、表示画像が、最後に撮影された画像の場合は、最初に撮影した画像を表示することになる。
【００５４】
次いで、右の選択釦がＯＮ状態を所定時間以上継続されるかどうか判断する（ステップＳ２１２）。所定時間内に右の選択釦がＯＮ状態でなくなった場合（ステップＳ２１２；Ｎｏ）、即ちＯＦＦされた場合には、ステップＳ２０２へ戻る。
【００５５】
右の選択釦のＯＮ状態が所定時間以上継続された場合（ステップＳ２１２；Ｙｅｓ）には、表示しているコマの１コマ後に撮影されたコマの画像データのサムネイル画像を表示する（ステップＳ２１３）。
【００５６】
更に、右の選択釦がＯＮ状態を所定時間以上継続されるかどうか判断する（ステップＳ２１４）。所定時間内に右の選択釦がＯＮ状態でなくなった場合（ステップＳ２１４；Ｎｏ）、即ちＯＦＦされた場合には、表示しているサムネイル画像を本画像データを用いた画像に替えて表示し（ステップＳ２１５）、ステップＳ２０２へ戻る。
【００５７】
ステップＳ２１４において、ＯＮ状態が所定時間以上継続された場合（ステップＳ２１４；Ｙｅｓ）には、ステップＳ２１３へ戻り、表示しているサムネイル画像の１コマ後に撮影されたコマの画像データのサムネイル画像を表示する。
【００５８】
即ち、ＯＮ状態を継続させると、所定時間経過する毎に、自動的に新たなコマのサムネイル画像が順次表示されることになる。
【００５９】
一方、ステップＳ２０２で右の選択釦がＯＮされていない場合（ステップＳ２０２；Ｎｏ）は、選択釦の４方向スイッチのうち左の選択釦がＯＮ操作されたかどうか判断する（ステップＳ２０３）。左の選択釦がＯＮされた場合（ステップＳ２０３；Ｙｅｓ）は、ステップＳ２２１へ移行し、左の選択釦がＯＮされない場合（ステップＳ２０３；Ｎｏ）は、ステップＳ２０４へ移行する。
【００６０】
ステップＳ２０３で左の選択釦がＯＮされた場合（ステップＳ２０３；Ｙｅｓ）は、画像の表示を、現在表示しているコマの１コマ前に撮影されたコマの画像データの本画像データを用いた画像を表示する（ステップＳ２２１）。
【００６１】
次いで、左の選択釦がＯＮ状態を所定時間以上継続されるかどうか判断する（ステップＳ２２２）。所定時間内に左の選択釦がＯＮ状態でなくなった場合（ステップＳ２２２；Ｎｏ）、即ちＯＦＦされた場合には、ステップＳ２０２へ戻る。
【００６２】
左の選択釦のＯＮ状態が所定時間以上継続された場合（ステップＳ２２２；Ｙｅｓ）には、表示しているコマの１コマ前に撮影されたコマの画像データのサムネイル画像を表示する（ステップＳ２２３）。
【００６３】
更に、左の選択釦がＯＮ状態を所定時間以上継続されるかどうか判断する（ステップＳ２２４）。所定時間内に左の選択釦がＯＮ状態でなくなった場合（ステップＳ２２４；Ｎｏ）、即ちＯＦＦされた場合には、表示しているサムネイル画像を本画像データを用いた画像に替えて表示し（ステップＳ２２５）、ステップＳ２０２へ戻る。
【００６４】
ステップＳ２２４において、ＯＮ状態が所定時間以上継続された場合（ステップＳ２２４；Ｙｅｓ）には、ステップＳ２２３へ戻り、表示しているサムネイル画像の１コマ前に撮影されたコマの画像データのサムネイル画像を表示する。
【００６５】
即ち、ＯＮ状態を継続させると、所定時間経過する毎に、自動的に新たなコマのサムネイル画像が順次表示されることになる。
【００６６】
一方、ステップＳ２０３において、左の選択釦もＯＮ操作されない場合には、その他の操作スイッチ群に操作が行われたかどうかを判断（ステップＳ２０４）し、その他の操作スイッチ群の操作が行われない場合（ステップＳ２０４；Ｎｏ）には、ステップＳ２０２へ戻る。その他の操作スイッチ群に操作が行われた場合（ステップＳ２０４；Ｙｅｓ）には、再生モードを終了し、操作されたスイッチに対応した処理へ移行する（ステップＳ２０５）。
【００６７】
以上が、本実施の形態に係るカメラの再生モード時の動作概略である。
【００６８】
即ち、再生モードにおいて、再生表示を行う際の指示を入力する操作スイッチの操作状態に応じて、異なる解像度の画像のいずれかを画像表示部に選択的に表示する、より詳しくは、再生表示を行う際の指示を入力するスイッチ入力手段である選択釦がＯＮ状態に切り替えられたとき、表示中の画像に替えて、記録手段に記録されている次の画像の異なる解像度の画像データのうち高い解像度の画像データに基づく画像を画像表示部に表示させ、選択釦のＯＮ状態が所定時間を越えて継続したとき、表示中の画像に替えて、記録手段に記録されている次の画像の異なる解像度の画像データのうち低い解像度の画像データに基づく画像を画像表示部に表示させるように構成されている。
【００６９】
このように、操作スイッチのＯＮ状態を継続させると、所定時間経過する毎に、自動的に新たなコマのサムネイル画像が順次表示されるよう構成することで、１画像表示のための時間を短く、更に、操作スイッチのＯＮ／ＯＦＦ操作を１コマずつ毎回繰り返す必要が無くなり操作性が向上し、多数の画像データの中から所望の画像を探し出すことが迅速容易なカメラを得ることが可能となる。
【００７０】
なお、本実施の形態では、再生モードに入った際に最後に撮影されたコマを表示するようにした例で説明したが、これに限るものではない。
【００７１】
また、記録手段と、画像表示手段と、再生表示を行う際の指示を入力するスイッチ入力手段と、を有する電子カメラを例にとり説明したが、本発明はこれに限るものでなく、撮影機能を有していないが、画像データを蓄積する大容量の記録手段と蓄積した画像データの画像を再生する画像表示手段と再生表示を行う際の指示を入力するスイッチ入力手段を有したストレージ等にも適用可能なのは言うまでもない。
【図面の簡単な説明】
【００７２】
【図１】本発明に係る電子機器の一例である電子カメラを示す外観図である。
【図２】本実施の形態に係る電子カメラの内部構成の一例を示す概略ブロック図である。
【図３】メモリーカードのメモリマップである。
【図４】本実施の形態に係る電子カメラで使用される各モードへの移行動作を示すフローチャートである。
【図５】本実施の形態に係る電子カメラの再生モード時の動作概略を示すフローチャートである。
【符号の説明】
【００７３】
８１  撮影レンズ
８２  メインスイッチ
８３  レリーズ釦
８４  フラッシュ発光部
８６  フラッシュ反射光受光用センサ窓
９３  ズーム釦
９５  メニュー釦
９６  選択釦
９７  セット釦
９８  メインダイヤル
９９  フラッシュモード選択釦
１００  画像表示部
【図１】
2006246131.tif 000003
【図２】
2006246131.tif 000004
【図３】
2006246131.tif 000005
【図４】
2006246131.tif 000006
【図５】
2006246131.tif 000007